(57)【要約】【課題】メッシュ材保持フレームを介してメッシュ材が背フレームに取り付けられている背もたれにおいて、メッシュ材保持フレームに形成した穴がメッシュ材から透けて見えることを防止する。【解決手段】メッシュ材保持フレーム５には、背フレームに取り付けるための雄型係合爪１８が後ろ向きに突設されていると共に、雄型係合爪１８を成形するために出来た抜き違い穴３１が開口している。メッシュ材６の側縁には縁部材２６が固定されており、縁部材２６の取り付け穴２８が、メッシュ材保持フレーム５のボス体２９に嵌め込まれる。縁部材２６に、抜き違い穴３１を後ろから塞ぐカバー部３２が形成されている。抜き違い穴３１は透けて見えないため、美観の悪化を防止できる。【選択図】図５
2018102784.tif 000002
【特許請求の範囲】
【請求項１】
前後に開口した背フレームと、前記背フレームの前面に重ねて配置されたメッシュ材保持フレームと、前記メッシュ材保持フレームの裏面に配置されたシート状の縁部材とを有しており、前記メッシュ材保持フレームがメッシュ材で手前から覆われている構成であって、
前記メッシュ材保持フレームに、前又は後ろからカバーしないと前記メッシュ材から透けて見え得る穴が空いており、穴を前記縁部材で後ろから塞いでいる、
椅子の背もたれ。
【請求項２】
前記メッシュ材保持フレームには、当該メッシュ材保持フレームを前記背フレームに取り付けるための鉤状の係合爪と、前記係合爪を成形するためにできた抜き違い穴とが形成されており、前記抜き違い穴を前記縁部材で後ろから塞いでいる、
椅子の背もたれ。
【請求項３】
前記縁部材は遮光性の色である、
請求項１又は２に記載した椅子の背もたれ。
【請求項４】
前後に開口した背フレームに、メッシュ材を、前記背フレームの前面に重ねた状態で直接的に取り付けるか、又は、前記背フレームの前面に重なるメッシュ材保持フレームを介して取り付けており、前記メッシュ材と背フレームとの間に美粧用シート材を配置している、
椅子の背もたれ。
【発明の詳細な説明】
【技術分野】
【０００１】
本願発明は、メッシュ材を備えた椅子の背もたれに関するものである。
【背景技術】
【０００２】
椅子の背もたれにおいて、前後に開口した背フレームにメッシュ材を張った構造のものが広く出回っている。メッシュ材の取り付け構造は様々であるが、メッシュ材の外周にシート状（テープ状）の縁部材を取り付ける一方、背フレームの外周には取り付け溝を形成して、縁部材を取り付け溝に嵌め込むことが広く行われている。
【０００３】
しかし、この方法では、メッシュ材の取り付けの最後の段階で、メッシュ材を強く引っ張らないと縁部材を取り付け溝に嵌め込むことができないため、取り付けが非常に厄介であるという問題がある。
【０００４】
他方、本願出願人は、特許文献１において、メッシュ材を背フレームに直接に取り付けるのではなくて、背フレームの前面に重なる樹脂製のメッシュ材保持フレームにメッシュ材を予め取り付けておいて、メッシュ材保持フレームを、係合爪等を利用した係合手段によって背フレームに取り付けることを開示した。
【０００５】
この場合、メッシュ材の外周には樹脂製の縁部材を縫着等で固定しており、メッシュ材の外周部をメッシュ材保持フレームの前面に重ねてから、縁部材を外側からメッシュ材保持フレームの裏面に重ね合わせて、縁部材を、メッシュ材保持フレームの裏面に突設したボス体に嵌め込んでいる。従って、縁部材には、ボス体に嵌まる取り付け穴が空いている。
【先行技術文献】
【特許文献】
【０００６】
【特許文献１】特開２０１６−８７４０８号公報
【発明の概要】
【発明が解決しようとする課題】
【０００７】
特許文献１の構造を採用すると、メッシュ材保持フレームへのメッシュ材の取り付けは容易に行える一方、背フレームへのメッシュ材保持フレームの取り付けも、メッシュ材保持フレームを背フレームに前から重ねて下方にずらす等の簡単な方法で行えるため、メッシュ材の取り付けを容易に行える。また、縁部材は、メッシュ材保持フレームと背フレームとの間に挟まった状態になっているため、使用者の体圧によって縁部材が外れるような問題はなくて、取り付け強度にも優れている。
【０００８】
しかし、メッシュ材は織地や編地等の布帛からなっていて透光性があることから、背フレームとの色合いの組み合わせによっては、シートフレームの係合爪の箇所に形成した穴が透けて見えて、人に違和感を与える場合があることが判明した。
【０００９】
すなわち、メッシュ材保持フレームは、相対動する一対の金型（キャビとコア）を必須の要素として射出成形法で製造されるが、メッシュ材保持フレームに鉤状の係合爪を形成するにおいて、一方の金型に、係合爪における鉤部の内面を形成する突部を形成しておく方法（抜き違い法）を採用しており、このため、製品としてのメッシュ材保持フレームには、金型の突部に相当する部分が抜き違い穴として残ることになり、この抜き違い穴がメッシュ材から透けて見えることがあった。
【００１０】
本願発明は、このような現状を改善すべく成されたものであり、メッシュタイプの背もたれを美観に優れた態様で提供せんとするものである。
【課題を解決するための手段】
【００１１】
前記目的を果たすべく請求項１の発明では、
前後に開口した背フレームと、前記背フレームの前面に重ねて配置されたメッシュ材保持フレームと、前記メッシュ材保持フレームの裏面に配置されたシート状の縁部材とを有しており、前記メッシュ材保持フレームがメッシュ材で手前から覆われている構成であって、前記メッシュ材保持フレームに、前又は後ろからカバーしないと前記メッシュ材から透けて見え得る穴が空いており、穴を前記縁部材で後ろから塞いでいる。
【００１２】
請求項２の発明では、前記メッシュ材保持フレームには、当該メッシュ材保持フレームを前記背フレームに取り付けるための鉤状の係合爪と、前記係合爪を成形するためにできた抜き違い穴とが形成されており、前記抜き違い穴を前記縁部材で後ろから塞いでいる。すなわち、請求項２では、何らかのカバーをしない場合にメッシュ材から透けて見える穴は、係合爪の形成によって生じた抜き違い穴であり、この抜き違い穴を縁部材で後ろから塞いでいる。
【００１３】
請求項３では、請求項１又は２の好適な具体例として、前記縁部材は遮光性の色になっている。なお、本願発明において、メッシュ材保持フレームに、係合爪を形成するための抜き違い穴の他にもメッシュ材から透けて見える穴がある場合は、これを縁部材で後ろから塞いだらよい。
【００１４】
本願発明は、請求項４の構成も含んでいる。この請求項４では、
前後に開口した背フレームに、メッシュ材を、前記背フレームの前面に重ねた状態で直接的に取り付けるか、又は、前記背フレームの前面に重なるメッシュ材保持フレームを介して取り付けており、前記メッシュ材と背フレームとの間に美粧用シート材を配置している。
【発明の効果】
【００１５】
メッシュ材保持フレームに形成した抜き違い穴がメッシュ材から透けて見えるのは、光が抜き違い穴を透過することにより、抜き違い穴の形状がメッシュ材の外側から視認できるからであり、本願請求項１の構成を採用すると、縁部材がメッシュ材保持フレームの後ろに配置されていても、光が抜き違い穴等の穴を透過することが阻止されることにより、抜き違い穴等の穴がメッシュ材から透けて見えることを防止できる。
【００１６】
従って、メッシュ材保持フレームを使用してメッシュ材の取り付けを容易に行える背もたれにおいて、美観を向上できる。また、メッシュ材の取り付けに必要な縁部材を抜き違い穴等の穴のカバー材として利用するものであるため、構造の複雑化やコストアップを招来することもない。
【００１７】
抜き違い穴等の穴の透け具合は、メッシュ材の色と背フレームの色とに大きく依存するものであるが、請求項２のように、縁部材を遮光性の色（素材）のもので製造すると、メッシュ材の色や背フレームの色に関係なく、抜き違い穴が透けて見えることを防止できるため、汎用性に優れている。
【００１８】
請求項４の発明では、メッシュ材保持フレームは必須の構成としておらず、メッシュ材を背フレームに直接取り付けるものも含んでいる。このような直接取り付け方式でも、背フレームの前面の形状がメッシュ材から透けて美観を悪化することが有り得ると云えるが、本願請求項４の構成を採用すると、背フレームの前面は美粧用シートで隠れるため、美観の悪化を防止できる。
【００１９】
請求項４の美粧用シートは、背フレームやメッシュ材保持フレームを隠して美観の悪化を防止するという機能の他に、メッシュ材の後面に重ねて配置することにより、美粧用シートを積極的に視認させてアクセント効果を発揮させるという用途にも使用できる。
【図面の簡単な説明】
【００２０】
【図１】実施形態に係る椅子の外観図であり、（Ａ）は正面図、（Ｂ）は手前から見た斜視図、（Ｃ）は後ろから見た斜視図である。
【図２】メッシュ材を省略した斜視図であり、（Ａ）はメッシュ材保持フレームを取り付け終えた状態での斜視図、（Ｂ）は取り付け途中での一部分離斜視図である。
【図３】（Ａ）は背フレームとメッシュ材保持フレームとの分離斜視図、（Ｂ）は上部メッシュ材保持フレームと下部メッシュ材保持フレームとの連結状態を示す分離斜視図である。
【図４】メッシュ材保持フレームを裏返した状態での分離斜視図である。
【図５】（Ａ）はメッシュ材保持フレームの部分的な斜視図、（Ｂ）はメッシュ材の部分的な背面図である。
【図６】縁部材を取り付けたメッシュ材の正面図である（縁部材はメッシュ材の後ろに隠れるが、実線で表示している。）。
【図７】メッシュ材保持フレームと縁部材との連結関係を示す分離正面図である。
【図８】（Ａ）は図７のＡ−Ａ視箇所で切断した平断面図、（Ｂ）は図７のＢ−Ｂ視箇所で切断した平断面図である。
【発明を実施するための形態】
【００２１】
(1).概要
次に、本願発明の実施形態を図面に基づいて説明する。まず、概要を説明する。本実施形態は、オフィイスで多用されているロッキング式回転椅子に適用している。図１のとおり、椅子は、必須の要素として、脚装置１と座と背もたれ３を備えている。
【００２２】
図２，３のとおり、背もたれ３は、前後に開口した背フレーム４と、その前面に重ね配置したメッシュ材保持フレーム（メッシュ材保持枠）５、及び、メッシュ材保持フレーム５に取り付けたメッシュ材６とを有している。背フレーム４は樹脂の成形品であり（ダイキャスト品でもよい）、上下長手の左右サイドメンバー７と、左右サイドメンバー７の上端に繋がった左右横長のアッパメンバー８と、左右サイドメンバー７の下端に繋がった左右横長のロアメンバー９とを有している。
【００２３】
メッシュ材保持フレーム５は、密着・離反する一対の金型（キャビとコア）を使用した射出成形法によって製造される。椅子の姿勢を基準にすると、一対の金型は前後方向に相対動する。図４，５，８に、金型の相対動方向（型開き方向）を矢印Ｘで表示している。
【００２４】
ロアメンバー９の上下幅はサイドメンバー７やアッパメンバー８の幅よりも大きくなっており、ロアメンバー９の左右両側部からアーム部１０が前向きに突出して、アーム部１０の先端が、ベース１１（図１（Ａ）参照）に左右横長のピンで連結されている。従って、背もたれ３は、ロッキングばね（図示せず）に抗して後傾動する。また、サイドメンバー７とアッパメンバー８とは、前向きに開口した略Ｖ形の断面形状であり、従って、サイドメンバー７とアッパメンバー８とはチャンネル状に形成されている。他方、ロアメンバー９も基本的には前向きに開口した断面形状であり、内部には多数のリブを形成している。アーム部１０にも、多数のリブが形成されている。
【００２５】
図３に明示するように、メッシュ材保持フレーム５は、背フレーム４と同様に前後に開口した枠状の形態であり、背フレーム４に対応して、アッパ部１２、サイド部１３、ロア部１４を有しており、下向き開口コ字形の第１部分（上部分）５ａと、上向き開口コ字形の第２部分（下部分）５ｂとに分離している。従って、サイド部１３は上下に分離している。
【００２６】
図３（Ｂ）に示すように、メッシュ材保持フレーム５における第２部分５ｂの上端に、前向き鉤状の連結係合爪１５を形成している一方、第１部分５ａの下端には、連結係合爪１５が嵌まり込む左右長手の支軸１６を形成している。従って、第２部分５ｂは、支軸１６を支点にして前後に回動させることができる。図３（Ｂ）に示すように、第１部分５ａと第２部分５ｂとを屈曲した姿勢にしておいて、先に第１部分５ａを背フレーム４に取り付けてから、第２部分５ｂを後ろに押して背フレーム４に重ねることにより、メッシュ材６をピンと張った状態に保持できる。なお、メッシュ材保持フレーム５は、上下分離方式にせずに全体を一体の構造にすることも可能である。
【００２７】
(2).メッシュ材保持フレーム及びメッシュ材の取り付け構造
既述のとおり、背フレーム４のサイドメンバー７とアッパメンバー８とは前向きに開口した略Ｖ型の断面形状であり、サイドメンバー７の溝の内部に設けた係合部を利用して、メッシュ材保持フレーム５の第１部分５ａが取り付けられている。
【００２８】
すなわち、図４から容易に理解できるように、背フレーム４における左右のサイドメンバー７の溝内に、平面視門型の雌型係合体１７を上下に複数個（３個）形成している一方、メッシュ材保持フレーム５のサイド部１３には、雌型係合部体１７に上から嵌まり込む鉤型の雄型係合爪１８（図５（Ａ）も参照）を後ろ向きに突設しており、これら雌型係合部体１７と雄型係合爪１８との嵌まり合いにより、メッシュ材保持フレーム５の第１部分５ａは前向き離反不能に保持されている。
【００２９】
雄型係合爪１８が雌型係合部体１７に嵌合した状態では、背フレーム４におけるアッパ部１２が、背フレーム４におけるアッパメンバー８に嵌まり込むようになっており、これにより、メッシュ材保持フレーム５は上下動不能に保持される。
【００３０】
また、図４のとおり、背フレーム４のサイドメンバー７に、左右の挟持体からなる規制溝１９を形成している一方、メッシュ材保持フレーム５におけるサイド部１３には、規制溝１９に嵌まり込む板状の規制片２０を後ろ向きに突設しており、これら規制片２０と規制溝１９とにより、メッシュ材保持フレーム５が左右方向にガタ付くことを防止している。
【００３１】
図４に示すように、メッシュ材保持フレーム５のロア部１４には、後ろ向きの位置決め突起２１を左右に複数個設けている一方、背フレーム４のロアメンバー９には、既述のとおり縦横に延びるリブ２２が多数形成されており、リブ２２で囲われた空間に位置決め突起２１が嵌まるように設定している。メッシュ材保持フレーム５のロア部１４は、図２に示す押さえ部材２３によって手前から押さえ保持されている。このため、メッシュ材保持フレーム５の第２部分５ｂが着座者の体圧によって不測に前向き回動するようなことはない。押さえ部材２３は、ビスで背フレーム４のロアメンバー９に固定されている。
【００３２】
図５〜７に示すように、メッシュ材６の外周には、樹脂シートから成る縁部材２５，２６，２７が縫着によって取り付けられている。縁部材は、メッシュ材保持フレーム５における第１部分５ａのアッパ部に対応したアッパ縁部材２５と、メッシュ材保持フレーム５における第１部分５ａのサイド部１４に対応したサイド縁部材２６と、メッシュ材保持フレーム５の第２部分５ａに対応した下部縁部材２７とに分離している。
【００３３】
サイド縁部材２６と下部縁部材２７とに分離しているのは、メッシュ材保持フレーム５の第２部分５ｂの回動を容易ならしめるためである。アッパ縁部材２５とサイド縁部材２６とに分離しているのは、縫着の容易性や、メッシュ材保持フレーム５への取り付けの容易性のため（変形しやすくするため）である。縁部材の全体を一体構造にしてもよいが、帯状の樹脂シートを材料にして製造する場合は、実施形態のように複数に分割するのが合理的である。
【００３４】
各縁部材２５，２６，２７には、多数の取り付け穴２８が空けられている一方、メッシュ材保持フレーム５には、取り付け穴２８が嵌まる鉤状のボス体２９を多数形成している。ボス体２９は、単なる突起の態様と鉤状の形態とがあり、鉤状のものにおいては、図５（Ａ）及び図８（Ａ）に明示するように、メッシュ材保持フレーム５には、射出成形に際しての金型の相対動方向から見てボス体２９の鉤部２９ａと重なる第１抜き違い穴３０が空いてる。一方の金型に、第１抜き違い穴３０に嵌まる突起を形成することにより、鉤状のボス体２９は一対の金型で成形される。逆に述べると、一対の金型でボス体３０を形成したことにより、メッシュ材保持フレーム５には、金型の突起の名残としての第１抜き違い穴３０が残っている。
【００３５】
雄型係合爪１８も一対の金型で形成している。このため、図５（Ａ）及び図８（Ｂ）に明示するように、メッシュ材保持フレーム５には、請求項に記載した抜き違い穴として、金型の相対動方向Ｘから見て雄型係合爪１８の鉤部１８ａと重なる第２抜き違い穴３１が開口している。そして、第２縁部材２６は、各取り付け穴２８の箇所ごとに突片部に分断しているが、各突片部と一体に、又は突片部と分離して、第２抜き違い穴３１を後ろから塞ぐカバー部３２を形成している。
【００３６】
これにより、第２抜き違い穴３１がメッシュ材６を介して透けて見えることを防止して、美観の悪化を防止できる。縁部材２５，２６，２７は、黒又は黒系のように遮光性のものが好ましい。
【００３７】
メッシュ材６をメッシュ材保持フレーム５に取り付けるに当たっては、各縁部材３５，２６，２７を後ろに起こしてメッシュ材６をメッシュ材保持フレーム５の前面に重ねてから、各縁部材２５，２６，２７をメッシュ材保持フレーム５の裏面に重ねて、弾性に抗して取り付け穴２８をボス体３０に嵌め込む、という手順が取られる。このとき、サイド縁部材２６のカバー部３２が雄型係合爪１８に当たり得るが、カバー部３２は容易に弾性変形するため、カバー部３２を鉤部１８ａの裏側に入り込ませることができる。
【００３８】
なお、下段の雄型係合爪１８に対応した下段のカバー部３２は、取り付け穴２８を設けた突片部から分離しているが、これは、雄型係合爪１８の立ち上がり部が第２抜き違い穴３１の上にあり、突片部とカバー部３２とを連続させると取り付けができないためである。サイド縁部材２６は、メッシュ材保持フレーム５の規制片２０に対応したでは、当該規制片３０と干渉しないように切欠かれている。
【００３９】
なお、カバー部と突片部とを全ての箇所で分離してもよい。各取り付け穴２８の箇所ごとに突片部を分断したり、カバー部３２の少なくとも一部を独立した形態にしたりすると、縁部材の変形が容易になるため、メッシュ材保持フレーム５への取り付け作業を容易化できる。
【００４０】
メッシュ材保持フレーム５にメッシュ材６を取り付ける手順としては、例えば、ロア縁部材２７、アッパ縁部材２５、サイド縁部材２６の順に取り付けることができる。他の順序で取り付けることも可能であるが、いずれにしても、メッシュ材保持フレーム５の第２部分５ｂを屈曲させておくと、メッシュ材６に強いテンションはかからないため、各縁部材２５，２６，２７の取り付けを軽い力で容易に行える。
【００４１】
アッパ縁部材２５は２番目に取り付けられるので、全体を背フレーム４のアッパメンバー８に簡単に重ねることができる。このため、アッパ縁部材２５は単なる帯状の形態になっていて、取り付け穴２８を点在させている。第２抜き違い穴３１の他にメッシュ材６から透けて見える穴が存在する場合は、その穴も縁部材で塞いだらよい。
【００４２】
上記の実施形態は、縁部材にカバー部を設けた場合であったが、メッシュ材とメッシュ材保持フレームとの間に美粧用のシート材を介在させることも可能である。また、メッシュ材保持フレームを備えていない背もたれの場合、背フレームの前面に美粧用のシート材を配置することも可能である。メッシュ材保持フレームの取り付け手段は、必ずしも雌型係合体と雄型係合爪との組み合わせには限らないのであり、係合爪と係合穴との組み合わせや、係合爪同士の組み合わせなども採用可能である。
【産業上の利用可能性】
【００４３】
本願発明は、椅子の背もたれに具体化できる。従って、産業上利用できる。
【符号の説明】
【００４４】
３  背もたれ
４  背フレーム
５  メッシュ材保持フレーム
６  メッシュ材
７，８，９  背フレームの構成メンバー
１４  メッシュ材保持フレームのサイド部
１７  雌型係合体
１８  雄型係合爪
２５，２６，２７  縁部材
２８  取り付け穴
２９  ボス体
３０  第１抜き違い穴
３１  第２抜き違い穴
３２  カバー部
【図１】
2018102784.tif 000003
【図２】
2018102784.tif 000004
【図３】
2018102784.tif 000005
【図４】
2018102784.tif 000006
【図５】
2018102784.tif 000007
【図６】
2018102784.tif 000008
【図７】
2018102784.tif 000009
【図８】
2018102784.tif 000010